(57)【要約】      （修正有）【課題】中空円筒状のポストを有するボタン取付部材を用いても生地片等が周囲に飛散することがなく、ダウンジャケット等の薄い生地に好適に適用することができるボタン取付用パンチを提供する。【解決手段】底部１１に円形の開口を有するボタン１０を、基端が閉じた中空円筒状のポスト２２を有するボタン取付部材２０で生地１に取り付ける際に使用するボタン取付用パンチ３０は、前記ボタンの底部を抑えるための抑え部３１と、生地を貫通し次いで前記ボタンの開口を通った前記ポストを加締めるためのパンチ本体３２と、前記ポストが生地を貫通する時に生地から切り離される生地片を前記ポストの内部に押し込むためのピン３３とを備える。前記ボタン取付部材のポストは、その上部に前記ピンをポストの内部に通すための、前記生地片より小径の穴部を有し得る。【選択図】図７
2013043004.tif 000002
【特許請求の範囲】
【請求項１】
底部（１１）に円形の開口（１４）を有するボタン（１０）を、基端が閉じた中空円筒状のポスト（２２）を有するボタン取付部材（２０）で生地（１）に取り付ける際に使用するパンチ（３０）であって、
前記ボタン（１０）の底部（１１）を抑えるための抑え部（３１）と、
生地（１）を貫通し次いで前記ボタン（１０）の開口（１４）を通った前記ポスト（２２）を加締めるためのパンチ本体（３２）と、
前記ポスト（２２）が生地（１）を貫通する時に生地（１）から切り離される生地片（１ｂ）を前記ポスト（２２）の内部に押し込むためのピン（３３）とを備えるボタン取付用パンチ。
【請求項２】
前記ピン（３３）は、前記パンチ本体（３２）の軸線に沿って収容され、前記パンチ本体（３２）に対し独立に可動する請求項１のボタン取付用パンチ。
【請求項３】
前記ボタン取付部材（２０）のポスト（２２）は、その上部（２２ｂ）に前記ピン（３３）をポスト（２２）の内部に通すための、前記生地片（１ｂ）より小径の穴部（２２ｃ）を有する請求項１のボタン取付用パンチ。
【請求項４】
底部（１１）に円形の開口（１４）を有するボタン（１０）を、基端が閉じた中空円筒状のポスト（２２）を有するボタン取付部材（２０）で生地（１）に取り付ける際、ボタン（１０）を支持させ、生地（１）を貫通し次いで前記ボタン（１０）の開口（１４）を通った前記ポスト（２２）を加締めるためのパンチ（３０）と、ボタン取付部材（２０）が載置されるダイ（４０）と、前記ポスト（２２）が生地（１）を貫通する時に生地（１）から切り離される生地片（１ｂ）を前記ポスト（２２）の内部に押し込むためのピン（３３）とを備えるボタン取付装置。
【請求項５】
前記パンチ（３０）は、前記ボタン（１０）の底部（１１）を抑えるための抑え部（３１）と、  生地（１）を貫通し次いで前記ボタン（１０）の開口（１４）を通った前記ポスト（２２）を加締めるためのパンチ本体（３２）とを備え、
前記ピン（３３）は、前記パンチ本体（３２）の軸線に沿って収容され、前記パンチ本体（３２）に対し独立に可動する請求項４のボタン取付装置。
【請求項６】
前記ボタン取付部材（２０）は一枚の金属製の板から形成される請求項４又は５のボタン取付装置。
【請求項７】
前記ボタン取付部材（２０）のポスト（２２）は、その上部（２２ｂ）に前記ピン（３３）をポスト（２２）の内部に通すための、前記生地片（１ｂ）より小径の穴部（２２ｃ）を有する請求項４〜６のいずれか一つのボタン取付装置。
【請求項８】
前記ボタン（１０）は、前記開口（１４）の周縁に、ポスト（２２）が生地（１）を貫通する時に生地（１）を切り離すエッジ（１５ａ）を有する請求項４〜７のいずれか一つのボタン取付装置。
【請求項９】
前記ボタン取付部材（２０）のポスト（２２）は、その上部（２２ｂ）の半径方向外側端部に、前記ボタン（１０）のエッジ（１５ａ）に対向する段部（２２ｄ）を有する請求項８のボタン取付装置。
【請求項１０】
底部（１１）に円形の開口（１４）を有するボタン（１０）を、基端が閉じた中空円筒状のポスト（２２）を有するボタン取付部材（２０）で生地（１）に取り付ける方法であって、
前記ポスト（２２）が生地（１）を貫通する時に生地（１）から生地片（１ｂ）を切り離す工程と、
前記生地片（１ｂ）をポスト（２２）の内部に押し込む工程と、
生地（１）を貫通した後、前記ボタン（１０）の開口（１４）を通った前記ポスト（２２）を加締める工程とを含むボタン取付方法。
【発明の詳細な説明】
【技術分野】
【０００１】
本発明は、ボタン取付用パンチ、ボタン取付装置及びボタン取付方法に関し、更に詳しくは、スナップボタン、飾りボタン等のボタンをボタン取付部材で生地に取り付ける際に使用するパンチと、このようなボタン、ボタン取付部材、パンチ等から構成されるボタン取付装置と、ボタンをボタン取付部材及びパンチを使用して生地に取り付ける方法に関する。
【背景技術】
【０００２】
例えばスナップボタンの雌スナップを生地に取り付ける場合、プレス機の昇降部に連結する上方のパンチに雌スナップを保持させ、プレス機の下方のダイ上にボタン取付部材を載置し、雌スナップとボタン取付部材との間に生地を配した後、パンチを降下させる。これにより、ボタン取付部材のポストが生地を上方に貫通し、次いで雌スナップの底部の開口を通った後、パンチで加締められることにより、雌スナップが生地に固定される。ボタン取付部材のポストが中空円筒状の場合、ポストが生地を貫通する時に生地からほぼ円形の生地片が切り離される。米国特許第３３５１９８７号公報に開示される技術では、生地から分離した生地片をポストの下端開口から外部に排出するようにしている。
【０００３】
例えば、表裏の薄い生地間にダウンが収容されるダウンジャケットに雌スナップや雄スナップを取り付ける場合、中実で先細りするポストを有するステープル等のボタン取付部材よりも、上述した中空円筒状のポストを有するボタン取付部材を用いる方が、仕上がりの外観やコスト面から好ましい。しかしながら、中空円筒状のポストを有するボタン取付部材を用いる場合、生地から切り離される生地片が小さくかつ軽いため、ポストの下端開口から外部に排出された生地片がプレス機の周囲に飛散して、プレス機等の故障の原因になる場合があった。また、生地の切断部から漏出し得るダウンも飛散して、これもプレス機等の故障の原因になったり、操作者の目や口に入り込むおそれもあった。
【先行技術文献】
【特許文献】
【０００４】
【特許文献１】米国特許第３３５１９８７号公報
【発明の概要】
【発明が解決しようとする課題】
【０００５】
本発明は、上記のような点に着目してなされたものであり、その目的は、中空円筒状のポストを有するボタン取付部材を用いても生地片等が周囲に飛散することがなく、ダウンジャケット等の薄い生地に好適に適用することができるボタン取付用パンチ、ボタン取付装置及びボタン取付方法を提供することにある。
【課題を解決するための手段】
【０００６】
上記課題を解決するため、本発明によれば、底部に円形の開口を有するボタンを、基端が閉じた中空円筒状のポストを有するボタン取付部材で生地に取り付ける際に使用するパンチであって、前記ボタンの底部を抑えるための抑え部と、生地を貫通し次いで前記ボタンの開口を通った前記ポストを加締めるためのパンチ本体と、前記ポストが生地を貫通する時に生地から切り離される生地片を前記ポストの内部に押し込むためのピンとを備えるボタン取付用パンチが提供される。
【０００７】
本発明に係るボタン取付用パンチでは、底部に円形の開口を有するボタンを、基端が閉じた中空円筒状のポストを有するボタン取付部材で生地に取り付けるに当たり、前記ポストが生地を貫通する時に生地から切り離された生地片をピンでポストの内部に押し込むことができる。このように生地片を内部に収容したポストは、ボタンの開口を通った後、パンチ本体によって加締められ、これにより、ボタンが生地に固定される。
【０００８】
本発明において、ボタンの具体例として、中空円筒状のポストを有するボタン取付部材で生地に取り付けられ得る雌スナップ、雄スナップ、飾りボタン等を挙げることができる。生地には、織物、布、不織布、フェルト、皮、樹脂シート等が含まれる。
【０００９】
ボタン取付部材の中空円筒状のポストの上部は、完全に開放するのではなく、ピンをポストの内部に通すための穴部を残して閉じていることが好ましく、もしくは、上部を完全に閉じることもできる。ポストの上部が完全に閉じている場合、ピンがポストの上部を突き破りながら生地片をポスト内に押し込み得る。また、ポストの基端（下端）は、完全に閉じている必要はなく、ポストの内部に取り込まれた生地片が基端からポストの外部に排出されない程度に閉じていればよい。
【００１０】
本発明の一実施形態において、前記ピンは、前記パンチ本体の軸線に沿って収容され、前記パンチ本体に対し独立に可動する。これにより、ピンで生地片をポスト内に押し込んだ後、パンチ本体でポストを加締めることができる。
【００１１】
本発明の一実施形態において、前記ボタン取付部材のポストは、その上部に前記ピンをポストの内部に通すための、前記生地片より小径の穴部を有する。この場合、ボタン取付部材のポストが生地を貫通する時に生地から切り離された生地片がポストの上部上に一時的に残り、この生地片がパンチのピンによって穴部からポストの内部に押し込まれる。
【００１２】
別の本発明によれば、底部に円形の開口を有するボタンを、基端が閉じた中空円筒状のポストを有するボタン取付部材で生地に取り付ける際、ボタンを支持させ、生地を貫通し次いで前記ボタンの開口を通った前記ポストを加締めるためのパンチと、前記ボタン取付部材が載置されるダイと、前記ポストが生地を貫通する時に生地から切り離される生地片を前記ポストの内部に押し込むためのピンとを備えるボタン取付装置が提供される。
【００１３】
本発明に係るボタン取付装置では、底部に円形の開口を有するボタンを、基端が閉じた中空円筒状のポストを有するボタン取付部材で生地に取り付けるに当たり、ボタンをパンチに保持させ、取付部材をダイに載置し、ボタンと取付部材との間に生地を配した後、パンチをダイに対し相対的に降下させ（ダイがパンチに向かって上昇する場合もある）、前記ポストが生地を貫通する時に生地から切り離された生地片をピンでポストの内部に押し込むことができる。このように生地片を内部に収容したポストは、ボタンの開口を通った後、パンチによって加締められ、これにより、ボタンが生地に固定される。パンチ及びダイは、プレス機に組み込まれ得る。
【００１４】
本発明の一実施形態において、前記パンチは、前記ボタンの底部を抑えるための抑え部と、生地を貫通し次いで前記ボタンの開口を通った前記ポストを加締めるためのパンチ本体とを備え、前記ピンは、前記パンチ本体の軸線に沿って収容され、前記パンチ本体に対し独立に可動する。ピンとパンチの関係としては、ピンがパンチに組み込まれてパンチと共に取り外しできる態様と、ピンがパンチ本体の軸線に沿って移動するが、パンチと共には取り外しできない態様とがある。
【００１５】
本発明の一実施形態において、前記ボタン取付部材は一枚の金属製の板から形成される。基端が閉じた中空円筒状のポストを有するボタン取付部材を一枚の金属板から形成する場合、ボタン取付部材のベースの一部を切開し切り起こすことにより、ポストの基端を閉じることができる。金属の具体例としては、アルミニウム合金、銅合金等を挙げることができるが、これらに限定されるものではない。
【００１６】
本発明の一実施形態において、前記ボタン取付部材のポストは、その上部に前記ピンをポストの内部に通すための、前記生地片より小径の穴部を有する。この場合、ボタン取付部材のポストが生地を貫通する時に生地から切り離された生地片がポストの上部上に一時的に残り、この生地片がパンチのピンによって穴部からポストの内部に押し込まれる。
【００１７】
本発明の一実施形態において、前記ボタンは、前記開口を規定する周縁に、半径方向内側かつ下方を向く鋭利なエッジを有する。このようなボタンのエッジは、ボタン取付部材のポストが生地を貫通する時に生地の切断を補助することができる。
【００１８】
本発明の一実施形態において、前記ボタン取付部材のポストは、その上部の半径方向外側端部に、前記ボタンのエッジに対向する段部を有する。このようなボタン取付部材のポストの段部は、ポストが生地を貫通する時に生地をボタンのエッジの向きに対しほぼ垂直に配向させてエッジによる生地の切断を助長することができる。
【００１９】
更に別の本発明によれば、底部に円形の開口を有するボタンを、基端が閉じた中空円筒状のポストを有するボタン取付部材で生地に取り付ける方法であって、前記ポストが生地を貫通する時に生地から生地片を切り離す工程と、前記生地片をピンでポストの内部に押し込む工程と、生地を貫通した後、前記ボタンの開口を通った前記ポストを加締める工程とを含むボタン取付方法が提供される。
【００２０】
本発明では、底部に円形の開口を有するボタンを、基端が閉じた中空円筒状のポストを有するボタン取付部材で生地に取り付けるに当たり、前記ポストが生地を貫通する時に生地から切り離された生地片をピンでポストの内部に押し込むことができる。このように生地片を内部に収容したポストは、ボタンの開口を通った後、加締められ、これにより、ボタンが生地に固定される。
【発明の効果】
【００２１】
本発明では、底部に円形の開口を有するボタンを、基端が閉じた中空円筒状のポストを有するボタン取付部材で生地に取り付けるに当たり、前記ポストが生地を貫通する時に生地から切り離された生地片をピンでポストの内部に押し込むことができる。そのため、中空円筒状のポストを有するボタン取付部材を用いても生地片等が周囲に飛散することがないため、ダウンジャケット等の薄い生地に好適に適用することができる。
【図面の簡単な説明】
【００２２】
【図１】図１は、本発明の一実施形態に係るボタン取付装置で使用するボタンの一例である雌スナップを示す平面図である。
【図２】図２は、図１のＡ−Ａ線矢視断面図である。
【図３】図３は、本発明の一実施形態に係るボタン取付装置で使用する取付部材の一例を示す平面図である。
【図４】図４は、図３のＢ−Ｂ線矢視断面図である。
【図５】取付部材の底面図である。
【図６】生地の上方に雌スナップを、下方に取付部材を同心状に配置した状態を示す断面説明図である。
【図７】本発明の一実施形態に係るボタン取付装置におけるパンチを使用して、雌スナップを取付部材で生地に取り付ける直前の状態を示す断面説明図である。
【図８】取付部材のポストが生地を貫通する直前の状態を示す断面説明図である。
【図９】図８の部分拡大図である。
【図１０】取付部材のポストが生地を貫通した直後の状態を示す図９と同様の部分拡大図である。
【図１１】パンチのピンで生地片を取付部材のポストの穴部からポスト内に押し込む状態を示す部分拡大図である。
【図１２】パンチのピンで生地片を取付部材のポスト内に押し込んだ状態を示す断面説明図である。
【図１３】取付部材のポストが雌スナップの開口から内部空間に入った状態を示す断面説明図である。
【図１４】パンチのパンチ本体で取付部材のポストを加締める状態を示す断面説明図である。
【図１５】雌スナップを生地に取り付けた状態を示す断面説明図である。
【発明を実施するための形態】
【００２３】
以下、本発明の好適な実施形態を説明するが、本発明は、それらの実施形態に限定されるものではない。図１は、本発明の一実施形態に係るボタン取付装置で使用するボタンの一例である雌スナップ１０を示す平面図である。図２は、図１のＡ−Ａ線矢視断面図である。雌スナップ１０は、金属板を絞り加工等して形成されたもので、円板状の底部１１と、底部１１の周縁から上方（上下は図２に基づく）に延びるほぼ円筒状の周側部１２とを含む。周側部１２の上端部は、断面コの字状に半径方向外側に拡張する拡張部１２ａとされ、拡張部１２ａの内側に環状のばね１３が収容される。雌スナップ１０は、図示しない雄スナップの凸状の係合部を、底部１１と周側部１２が規定する内部空間１６に着脱可能に受け入れることにより、雄スナップと係合及び脱係合することができる。ばね１３は、雄スナップの係合部に対する係合力を補強する役割を果たす。底部１１の中央には円形の開口１４が設けられる。開口１４には、詳しくは後述するが、雌スナップ１０を生地に取り付ける際に、ボタン取付部材（以下、単に「取付部材」という）２０のポスト２２（図４等参照）が通される。底部１１は、開口１４の周囲において上方に窪む環状の窪み部１５を含む。窪み部１５は、窪み部１５を除く底部１１部分の半径方向内側端から半径方向内側へと上方に斜めに窪んだ後、下方へと若干反転して終端し、その半径方向内側端は、半径方向内側かつ下方の斜めを向く鋭利な環状のエッジ１５ａに形成される。
【００２４】
図３は、本発明の一実施形態に係るボタン取付装置で使用する、雌スナップ１０を生地に取り付けるための取付部材の一例である取付部材２０を示す平面図である。図４は、図３のＢ−Ｂ線矢視断面図である。図５は取付部材２０の底面図である。取付部材２０は、金属板を絞り加工等して形成されたもので、円板状のベース２１と、ベース２１から上方（上下は図４に基づく）へとベース２１と同心状に突出するほぼ円筒状のポスト２２とを含む。ボタン取付部材２０は、一枚の金属製の板から形成され、ポスト２２は、円筒状で、その内側が中空状の中空円筒状である。そして、このポスト２２の内側（中空円筒部）に、後述するように、切り離された生地片が押し込まれて収容される。ベース２１は、ポスト２２の下端（ベース側で基端とも言う）開口を塞ぐ下蓋２３と、下蓋２３を形成するためにベース２１を部分的に切開して開口させた周方向に三つの切開部２４とを含む。下蓋２３は、切開部２４に対応するベース２１の部分を次に述べるように切り起こした三つの切り起こし片２３ａから成る。各切開部２４及び各切り起こし片２３ａは、一例としてホームベース形状の五角形であり、それぞれ、底辺２４ａ（切り起こし片２３ａの底辺も切開部２４の底辺２４ａと同じ参照番号で表す）と、底辺２４ａに対し垂直に延びる左右の側辺２４ｂ、２３ｂと、左右の側辺２４ｂ、２３ｂの各上端から互いに近づく方向に斜めに延びる左右の上辺２４ｃ、２３ｃとから規定される。ベース２１は、各切開部２４の底辺２４ａを除く、左右の側辺２４ｂ及び上辺２４ｃに対応するラインで切断され、この切断ラインの内側部分を底辺２４ａからベース２１の下面側へと１８０度折り曲げて水平（軸線に垂直な任意の面をいう）にすることにより、三つの切り起こし片２３ａそれぞれの左右の上辺２３ｃがベース２１の中央で互いに近接して下蓋２３を成す。ベース２１は、水平な半径方向外側部分２１ａと、半径方向外側部分２１ａよりもベース２１の厚さ分上方に隆起する水平な半径方向内側部分２１ｂとに区分される。切開部２４の上辺２４ｃは半径方向外側部分２１ａに含まれ、切開部２４及び切り起こし片２３ａの底辺２４ａは半径方向内側部分２１ｂに含まれる。これにより、切開部２４から切り起こされた切り起こし片２３ａすなわち下蓋２３の上下面がベース２１の半径方向外側部分２１ａの上下面と面一となる。ポスト２２は、ベース２１から上方に延びる円筒状の胴部２２ａと、胴部２２ａの上端から半径方向内側に水平に延びる上部２２ｂとを含む。上部２２ｂの中央には穴部２２ｃが設けられる。更に、胴部２２ａと上部２２ｂとの境界（半径方向外側端部）には凹環状の段部２２ｄが形成される。段部２２ｄは、上部２２ｂの直径が胴部２２ａ側の直径よりも小さくなることで形成される。好ましくは、この段部２２ｄにおいて、ボタン１０の開口１４の周縁のエッジ１５ａの直径（内径）が胴部２２ａよりも小さく、上部２２ｂよりも大きいことで、生地を切り離すのにより適する。
【００２５】
図６は、水平に配した生地１の上方に雌スナップ１０を、下方に取付部材２０を同心状に配置した状態を示す断面説明図である。取付部材２０のポスト２２の胴部２２ａの外径は、雌スナップ１０の開口１４の直径すなわち環状のエッジ１５ａが規定する直径とほぼ同じであるが、胴部２２ａの外径は下方へとわずかに拡大し、胴部２２ａの下端側部分の外径はエッジ１５ａが規定する直径よりもわずかに大きくなる。
【００２６】
図７は、本発明の一実施形態に係るボタン取付装置におけるパンチ３０を使用して、雌スナップ１０を取付部材２０で生地１に取り付ける直前の状態を示す断面説明図である。図７中の参照番号４０は、取付部材２０が載置されるダイであり、ダイ４０も、雌スナップ１０、取付部材２０及びパンチ３０と共にボタン取付装置を構成する。パンチ３０及びダイ４０は、図示しないプレス機に取り外し可能に組み込まれ、パンチ３０はプレス機の昇降部により昇降され、ダイは静止状態に保たれる。パンチ３０は、雌スナップ１０の内部空間１６に挿入し、雌スナップ１０の底部１１をダイ４０に対し抑えるための円筒状の抑え部３１と、抑え部３１の内部に収容され、抑え部３１に対し独立に上下動して可動するほぼ円柱状のパンチ本体３２と、パンチ本体３２の軸線に沿う空洞３２ａに収容され、抑え部３１及びパンチ本体３２に対し独立に上下動して可動する棒状のピン３３とを備える。ピン３３は、取付部材２０のポスト２２の穴部２２ｃからポスト２２の内部に進入することができる。ピン３３の外径は、ポスト２２の外径よりも小さく、ポスト２２の上部２２ｂの穴部２２ｃの内径よりも小さい。雌スナップ１０を生地１に取り付けるに当たり、図７に示すように、雌スナップ１０をパンチ３０に保持させ、取付部材２０をダイ４０上に載置し、雌スナップ１０と取付部材２０間に生地１を配する。雌スナップ１０は、内部空間１６に受け入れたパンチ３０の抑え部３１をばね１３が締め付けることにより、パンチ３０に保持される。次いで、パンチ３０を降下させることにより、取付部材２０のポスト２２が生地１を上方に貫通し、次いで雌スナップ１０の開口１４を通った後、パンチ３０のパンチ本体３２によって加締められることにより、雌スナップ１０が生地１に固定される（図１３参照）。以下、雌スナップ１０の生地１への取り付け工程を更に詳述する。なお、ピン３３はパンチ本体３２とは独立して上下動して可動し、抑え部３１と同期して上下動するようにもできる。
【００２７】
図８は、図７の状態からパンチ３０がわずかに降下した状態であり、図９は図８の部分拡大図である。この時点で、パンチ３０及び雌スナップ１０により押し下げられている生地１が取付部材２０のポスト２２の上部２２ｂに押し付けられ（以下、このポスト２２の上部２２ｂに押し付けられた生地１の部分を「ポスト対応生地部１ａ」という）、ポスト対応生地部１ａは、下方への変位がポスト２２により制限される。図８の状態からパンチ３０が更に降下することにより、取付部材２０のポスト２２が生地１を上方に突き抜ける（図１０参照）。この時、ポスト対応生地部１ａは、パンチ３０及び雌スナップ１０により押し下げられる周囲の生地１から剪断作用により切り離され、図１０に示すように、ほぼ円形の生地片１ｂとしてポスト２２の上部２２ｂ上に残る。生地片１ｂの直径は、ポスト２２の外径にほぼ等しく、そのため、ポスト２２の穴部２２ｃの径よりも大きい。図９を参照して、上述したポスト２２による生地１からの生地片１ｂの切り離しの際、雌スナップ１０の底部１１のエッジ１５ａが取付部材２０のポスト２２の段部２２ｄにかかる生地１に当たり、エッジ１５ａによる生地１の切断作用が働くため、生地１からの生地片１ｂの切り離しが円滑に行われる。また、ポスト２２の段部２２ｄは、エッジ１５ａの向きに対し生地１をほぼ垂直に配向させてエッジ１５ａによる生地１の切断を助長する役割を果たす。なお、図示はしないが、エッジ１５ａが生地１に作用する時、ピン３３が生地１を下方に押して（ピン３３が穴部２２ｃに若干入り込む）、ポスト２２の上部２２ｂに対し生地１を抑えるようにすることができる。これにより、生地１からの生地片１ｂの分離がより容易になる。取付部材２０のポスト２２が生地１を上方に貫通して生地１から生地片１ｂが切り離されるや否や、パンチ３０のピン３３が降下し、ピン３３がポスト２２の内部に進入することで、取付部材２０のポスト２２の上部２２ｂ上に残る生地片１ｂ（図１０参照）を、図１１及び１２に示すように、生地片１ｂよりも小径な穴部２２ｃからポスト２２の内部へと押し込む。ポスト２２内に収容された生地片１ｂは、ポスト２２の下端が下蓋２３で閉じられているため、ポスト２２内に留まる（図１３及び１４参照）。そのため、生地片１ｂが、例えばダウンジャケットの薄い生地から分離した小さくかつ軽いものであっても、ポスト２２の外部に排出されて飛散するようなことはない。
【００２８】
図１２の状態から更にパンチ３０が降下すると、図１３に示すように、取付部材２０のポスト２２が降下中の雌スナップ１０の底部１１の開口１４を通って雌スナップ１０の内部空間１６に入る。この時、雌スナップ１０のエッジ１５ａを含む窪み部１５は、取付部材２０の下方へとわずかに拡径するポスト２２の胴部２２ａの外周面に接して上方に捲られるように変形する。そして、パンチ３０の抑え部３１が、雌スナップ１０の底部１１、生地１及び取付部材２０のベース２１を介してダイ４０に突き当たり、それ以上の下方への変位を制限されるや否や、パンチ本体３２が降下し、図１４に示すように、取付部材２０のポスト２２を加締める。これにより、ポスト２２は軸方向につぶれつつ半径方向に拡張して、雌スナップ１０の開口１４を通過不能となる。このようにして、雌スナップ１０が生地１に固定される（図１５参照）。
【００２９】
以上の説明では、ボタンの例として雌スナップ１０を挙げたが、ボタンとしては、取付部材２０によって生地１に取り付けられ得る雄スナップや飾りボタン等であってもよい。また、取付部材２０のポスト２２の上部２２ｂに穴部２２ｃが無く、パンチ３０のピン３３がポスト２２の上部２２ｂを突き破りながら生地片１ｂをポスト２２内に押し込むようにしてもよい。具体的には、ポスト２２の上部２２ｂに、その軸に沿って、複数の切欠きを形成し、切欠きの間の部分で、ポスト２２の上部２２ｂを支えた状態とし、ピンによって生地片を内部に押し込もうとした際に、ピンの先端によって、支えられた上部２２ｂの一部を破断して、生地片と一緒に、ポストの内部に押し込むようにする。これによれば、生地の切断時に、ピンが生地を抑えるようにでき、生地の切断が行いやすくできる。上記実施例において、ボタン取付部材２０は一枚の金属製の板から形成されるが、ポスト２２の基端側のベース２１を囲むようにしたキャップを取り付けて、ポスト２２の基端側が閉じるようにもできる。また、ポスト２２の周囲に、先端から基端に向かってスリットを形成し、加締め時に、ポスト２２が変形しやすいようにすることもできる。また、ポスト２２の上部２２ｂに有する穴部２２ｃは、ピン３３によって穴を形成するようにもできる。
【符号の説明】
【００３０】
１  生地
１ｂ  生地片
１０  雌スナップ
１１  底部
１２  周側部
１３  ばね
１４  開口
１５ａ  エッジ
１６  内部空間
２０  ボタン取付部材
２１  ベース
２２  ポスト
２２ｂ  （ポストの）上部
２２ｃ  穴部
２２ｄ  段部
２３  下蓋
２３ａ  切り起こし片
２４  切開部
３０  パンチ
３１  抑え部
３２  パンチ本体
３３  ピン
４０  ダイ
【図１】
2013043004.tif 000003
【図２】
2013043004.tif 000004
【図３】
2013043004.tif 000005
【図４】
2013043004.tif 000006
【図５】
2013043004.tif 000007
【図６】
2013043004.tif 000008
【図７】
2013043004.tif 000009
【図８】
2013043004.tif 000010
【図９】
2013043004.tif 000011
【図１０】
2013043004.tif 000012
【図１１】
2013043004.tif 000013
【図１２】
2013043004.tif 000014
【図１３】
2013043004.tif 000015
【図１４】
2013043004.tif 000016
【図１５】
2013043004.tif 000017